(57)【要約】【課題】タッチパネルに対するタッチ操作性を損なうことなく、低消費電力化を実現する電子機器を提供する。【解決手段】電子機器であって、タッチ操作を検出するタッチパネルと、タッチパネルに対するタッチ操作を検出する第１の検出モードＭ１と、第１の検出モードＭ１よりも消費電力Ｗ２の低い第２の検出モードＭ２とを切替えて設定する検出モード設定手段５２と、を備え、第２の検出モードＭ２は、タッチパネルの検出感度Ｇ２が、第１の検出モードＭ１での検出感度Ｇ１よりも高いものである。【選択図】図２
2019109721.tif 000002
【特許請求の範囲】
【請求項１】
タッチ操作を検出するタッチパネルと、
前記タッチパネルに対する前記タッチ操作を検出する第１の検出モードと、前記第１の検出モードよりも消費電力の低い第２の検出モードとを切替えて設定する検出モード設定手段と、を備え、
前記第２の検出モードは、前記タッチパネルの検出感度が、前記第１の検出モードでの検出感度よりも高い、
ことを特徴とする電子機器。
【請求項２】
前記検出モード設定手段は、
前記タッチ操作が所定時間検出されない場合、前記第２の検出モードに設定する、
ことを特徴とする請求項１に記載の電子機器。
【請求項３】
前記検出モード設定手段は、
前記第２の検出モードで、前記タッチ操作が検出された場合、前記第１の検出モードに設定する、
ことを特徴とする請求項２に記載の電子機器。
【請求項４】
前記検出モード設定手段は、
前記第１の検出モードで、前記タッチ操作が検出された場合、前記第１の検出モードを維持又は設定する、
ことを特徴とする請求項３に記載の電子機器。
【請求項５】
前記検出モード設定手段は、
前記第１の検出モードで、前記タッチ操作が前記所定時間検出されない場合、前記第２の検出モードに設定する、
ことを特徴とする請求項３又は４に記載の電子機器。
【請求項６】
前記第２の検出モードは、前記タッチパネルの検出間隔が、前記第１の検出モードでの検出間隔よりも長い、
ことを特徴とする請求項１から５までのいずれか１項に記載の電子機器。
【請求項７】
タッチパネルを備える電子機器の制御方法であって、
前記タッチパネルに対するタッチ操作を検出する検出ステップと、
第１の検出モードと、前記第１の検出モードよりも消費電力の低い第２の検出モードとを切替えて設定する検出モード設定ステップと、を含み、
前記第２の検出モードでは、前記タッチパネルの検出感度が、前記第１の検出モードでの検出感度よりも高い、
ことを特徴とする電子機器の制御方法。
【請求項８】
タッチパネルを備える電子機器の制御用のプログラムであって、
コンピュータに、
前記タッチパネルに対するタッチ操作を検出する機能と、
第１の検出モードと、前記第１の検出モードよりも消費電力の低い第２の検出モードとを切替えて設定する検出モード設定機能と、を実現させ、
前記第２の検出モードでは、前記タッチパネルの検出感度が、前記第１の検出モードでの検出感度よりも高い、
ことを特徴とするプログラム。
【発明の詳細な説明】
【技術分野】
【０００１】
本発明は、電子機器、電子機器の制御方法及びプログラムに関するものである。
【背景技術】
【０００２】
近年、タブレットコンピュータ、スマートフォン、時計、携帯ゲーム機などの電子機器は、ユーザのタッチ操作を検出する入力装置としてのタッチパネルを備えている。タッチパネルを備えることで、ユーザは各種操作を直感的に行うことができるようになっている。
【０００３】
ところで、タッチパネルは、タッチ操作の入力を常時受け付ける必要があるため、タッチパネルを備える電子機器の消費電力が増大することにつながる。そこで、特許文献１には、消費電力の増大を抑制することを目的として、タッチパネルに対するタッチ操作が検出されないときは、圧力センサの検出頻度を低くする低電力モードへ設定することが記載されている。
【先行技術文献】
【特許文献】
【０００４】
【特許文献１】特開２０１３−２５７６４２号公報
【発明の概要】
【発明が解決しようとする課題】
【０００５】
しかしながら、特許文献１に記載の従来技術では、圧力センサの検出頻度を低くしているため、逆にタッチ操作の検出抜けが生じる場合があり、ユーザにとっては操作性に欠けるものであった。
【０００６】
そこで、本発明は、上記事情に鑑みてなされたものであり、タッチパネルに対するタッチ操作性を損なうことなく、低消費電力化を実現する電子機器、電子機器の制御方法及び制御用プログラムを提供することを目的とする。
【課題を解決するための手段】
【０００７】
上記目的を達成するために、本発明は、以下の構成によって把握される。
本発明の電子機器は、タッチ操作を検出するタッチパネルと、前記タッチパネルに対する前記タッチ操作を検出する第１の検出モードと、前記第１の検出モードよりも消費電力の低い第２の検出モードとを切替えて設定する検出モード設定手段と、を備え、前記第２の検出モードは、前記タッチパネルの検出感度が、前記第１の検出モードでの検出感度よりも高いものである。
【０００８】
本発明の電子機器の制御方法は、タッチパネルを備える電子機器の制御方法であって、前記タッチパネルに対するタッチ操作を検出する検出ステップと、第１の検出モードと、前記第１の検出モードよりも消費電力の低い第２の検出モードとを切替えて設定する検出モード設定ステップと、を含み、前記第２の検出モードでは、前記タッチパネルの検出感度が、前記第１の検出モードでの検出感度よりも高いものである。
【０００９】
本発明の電子機器制御用のプログラムは、タッチパネルを備える電子機器の制御用のプログラムであって、コンピュータに、前記タッチパネルに対するタッチ操作を検出する機能と、第１の検出モードと、前記第１の検出モードよりも消費電力の低い第２の検出モードとを切替えて設定する検出モード設定機能と、を実現させ、前記第２の検出モードでは、前記タッチパネルの検出感度が、前記第１の検出モードでの検出感度よりも高いものである。
【発明の効果】
【００１０】
本発明によれば、タッチパネルに対するタッチ操作性を損なうことなく、低消費電力化を実現する電子機器、電子機器の制御方法及び制御用プログラムを提供することができる。
【図面の簡単な説明】
【００１１】
【図１】実施形態の電子機器の構成を示すブロック図である。
【図２】第１の検出モード及び第２の検出モードにおけるタッチパネルの設定を示す対照表である。
【図３】タッチパネルの制御動作を示すフローチャートである。
【発明を実施するための形態】
【００１２】
以下、図面を参照して本発明を実施するための形態（以下、実施形態）について詳細に説明する。なお、本明細書の実施形態においては、全体を通じて、同一の要素には同一の符号を付している。
図１は、実施形態の電子機器１の構成を示すブロック図である。
【００１３】
電子機器１は、タッチパネル１０を備えるもので、時計（スマートウォッチ）として構成されている。ただし、電子機器１は、スマートフォンやタブレットやパソコンなどタッチパネル１０を備える一般的な情報端末装置であってもよい。
【００１４】
また、電子機器１は、その筐体が略円盤状に形成されており、表面にタッチパネル１０を備え、タッチパネル１０の背面側に表示手段２０を備えている。また、電子機器１は、筐体内部に、中央演算処理装置（ＣＰＵ）３０、記憶手段４０、コントローラ５０、電源６０などを備えている。
【００１５】
タッチパネル１０は、ユーザの指又はスタイラスペン（タッチペン）などに反応し、タッチ操作に応じた位置情報を出力するものであり、例えば、Ｘ方向及びＹ方向のパターン電極１１を有する静電容量型で、透過型のものが用いられている。ただし、後述する検出感度Ｇを調整できるものであれば、静電容量型に、圧力センサを併用したものなどであってもよい。
【００１６】
パターン電極１１は、Ｘ方向及びＹ方向の格子状に配線されており、電源６０から電圧が印加されることにより、タッチパネル１０と指との間の静電容量の変化を、Ｘ方向及びＹ方向でそれぞれ検出し、各位置に応じてアナログ信号を出力するものである。
【００１７】
表示手段２０は、時計機能、位置表示（ＧＰＳ）機能などスマートウォッチとしての各種機能に応じた表示を行うように、液晶パネルや有機ＥＬパネルなどで構成されている。
【００１８】
ＣＰＵ３０は、電源６０からの電力供給によって動作し、記憶手段４０内の制御用プログラムなどの各種プログラムに応じて、電子機器１の全体動作を制御するものである。また、ＣＰＵ３０は、後述するタッチパネル１０の制御動作において、各種手段が実行する機能を実現するように、電子機器１（コンピュータ）を構成している。
【００１９】
記憶手段４０は、例えば、ＲＯＭ、フラッシュメモリなどを含むもので、各種機能などを実現するためのプログラム、アプリケーション、データなどが格納されている。なお、記憶手段４０は、例えば、ＳＤカード、ＵＳＢメモリなど、着脱自在な可搬型メモリ（記録メディア）を含んでもよく、あるいは、図示しない外部情報処理装置の記憶領域に保存するように構成されたものであってもよい。
【００２０】
タッチパネル制御手段（コントローラ）５０は、タッチパネル１０を制御するものであり、検出モード設定手段５２、検出感度変更手段５３、検出間隔変更手段５４、計時手段（タイマ）５５などとして機能する。なお、ＣＰＵ３０が、コントローラ５０として機能してもよい。
【００２１】
タッチ操作増幅手段（アンプ）５１は、パターン電極１１とコントローラ５０との間に配置され、パターン電極１１からアナログ信号を増幅し、コントローラ５０に出力するものである。
【００２２】
検出モード設定手段５２は、タッチパネル１０の検出モードを、第１の検出モードＭ１と第２の検出モードＭ２とに切替えて設定するものである。なお、本実施形態では、検出モード設定手段５２は、アンプ５１の検出感度Ｇを切替えて、タッチパネル１０の検出モードを切替えることになる。
【００２３】
検出感度変更手段５３は、アンプ５１の検出感度（ゲイン）Ｇを変更（調節）するもので、第１の検出モードＭ１の検出感度Ｇ１及び第２の検出モードＭ２の検出感度Ｇ２を、それぞれ異なる値に調節する。
【００２４】
検出感度Ｇを高くすると、タッチパネル１０と指との間の距離が遠くても、信号が増幅されるため、コントローラ５０は、タッチ操作（指が近づく動作）を検出することが可能になる。そのため、タッチ操作でなくノイズを検出する可能性も高くなるが、タッチ操作は静電容量の閾値Ｆ０で判定されるから、ノイズを検出したとしても特に問題が発生することがない。ただし、検出感度Ｇを高くしても、タッチパネル１０の消費電力はほぼ一定のままである。
【００２５】
検出間隔変更手段５４は、タッチパネル１０の検出間隔Ｄ、つまり、パターン電極１１に対する電圧の印加間隔を、変更（調節）するもので、第１の検出モードＭ１の検出間隔Ｄ１及び第２の検出モードＭ２の検出間隔Ｄ２を、それぞれ異なる値に調節する。
【００２６】
検出間隔Ｄを短くすると、タッチ操作に対する応答性が速くなるが、タッチパネル１０の消費電力は大きくなる。
【００２７】
タイマ５５は、起動信号の入力からリセット（停止）信号の入力までの経過時間Ｔｘを計時するものである。
【００２８】
ここで、第１の検出モードＭ１及び第２の検出モードＭ２について説明する。図２は、第１の検出モードＭ１及び第２の検出モードＭ２におけるタッチパネル１０の設定を示す対照表である。
【００２９】
第１の検出モードＭ１は、アクティブモードと称されるもので、タッチパネル１０の検出感度Ｇ１が通常であり、また、タッチパネル１０の検出間隔Ｄ１が、例えば１０ｍｓ程度の比較的短いものである。さらに、第１の検出モードＭ１は、タッチパネル１０の消費電力Ｗ１が、１．２６ｍＷ程度と比較的高い。
【００３０】
第２の検出モードＭ２は、ローパワーモードと称されるもので、タッチパネル１０の検出感度Ｇ２が、第１の検出モードＭ１での検出感度Ｇ１よりも高感度（Ｇ２＞Ｇ１）であり、また、タッチパネル１０の検出間隔Ｄ２が、例えば３０ｍｓから１００ｍｓ程度であり、第１の検出モードＭ１での検出間隔Ｄ１よりも長いものである（Ｄ２＞Ｄ１）。さらに、第２の検出モードＭ２は、タッチパネル１０の消費電力Ｗ２が、０．５６２ｍＷ（検出間隔Ｄ２が３０ｍｓのとき）程度であり、第１の検出モードＭ１でのタッチパネル１０の消費電力Ｗ１よりも低い（Ｗ２＜Ｗ１）。このとき、格子状のパターン電極１１を、例えば半分の本数に間引いて電圧を印加することで、消費電力Ｗ２を低くしてもよい。
【００３１】
なお、検出感度Ｇ１のときに、タッチパネル１０の消費電力Ｗは、１．２６ｍＷ（検出間隔Ｄが１０ｍｓのとき）、０．５６ｍＷ（検出間隔Ｄが３０ｍｓのとき）、０．３２ｍＷ（検出間隔Ｄが１００ｍｓのとき）であった。また、検出間隔Ｄ２が３０ｍｓのときに、検出感度Ｇ２を検出感度Ｇ１と同じにしても、タッチパネル１０の消費電力Ｗ２は０．５６ｍＷ程度であったため、タッチパネル１０の消費電力Ｗは、タッチパネル１０の検出間隔Ｄ（電圧の印加間隔）に大きく依存し、検出感度Ｇにはほぼ依存しないものといえる。
【００３２】
つづいて、タッチパネル１０の制御動作について説明する。図３は、タッチパネル１０の制御動作を示すフローチャートである。
【００３３】
まず、スタートにおいて、電子機器１の電源６０を入れて、タッチパネル１０及びコントローラ５０を起動し、ステップＳ１に進む。
【００３４】
ステップＳ１では、コントローラ５０からの指示により、検出モード設定手段５２は、アンプ５１を第１の検出モードＭ１に設定し、ステップＳ２に進む。
【００３５】
ステップＳ２では、コントローラ５０は、タイマ５５を起動して、タッチ操作を検出するまでの経過時間Ｔｘの計測を開始する。なお、ステップＳ１及びステップＳ２は、順番が前後してもかまわないし、同じタイミングであってもよい。
【００３６】
ステップＳ２の後で、ユーザの指がタッチパネル１０に接触又は接近すると、アンプ５１は、静電容量の変化を検出値Ｆｘとして出力する。そして、ステップＳ３において、コントローラ５０は、アンプ５１が閾値Ｆ０以上の検出値Ｆｘを出力したか否かを判定し、閾値Ｆ０以上の検出値Ｆｘを検出しない場合（ＮＯの場合）は、ステップＳ４に進み、閾値Ｆ０以上の検出値Ｆｘを検出した場合（ＹＥＳの場合）は、ステップＳ８にジャンプする。
【００３７】
ステップＳ３でＮＯの場合、ステップＳ４において、アンプ５１が検出値Ｆｘを出力した時間、つまり、タイマ５５が計測した経過時間Ｔｘが、所定時間Ｔ０以上に達しているか否かを判定する。経過時間Ｔｘが所定時間Ｔ０に達していた場合（ＹＥＳの場合）は、ステップＳ５に進み、経過時間Ｔｘが所定時間Ｔ０に達していない場合（ＮＯの場合）は、ステップＳ３に戻り、次のタッチ操作に対する検出値Ｆｘを計測する。
【００３８】
ステップＳ４でＹＥＳの場合、ステップＳ５において、検出モード設定手段５２は、アンプ５１を第２の検出モードＭ２に切替えて設定し、ステップＳ６に進む。
【００３９】
ステップＳ５でアンプ５１を第２の検出モードＭ２に設定すると、再度ユーザの指がタッチパネル１０に接触又は接近するか否かを確認するために、ステップＳ６において、コントローラ５０は、アンプ５１が閾値Ｆ０以上の新たな検出値Ｆｘを出力したか否かを判定する。閾値Ｆ０以上の検出値Ｆｘを検出しない場合（ＮＯの場合）は、再度ステップＳ６に戻り（新たな検出値Ｆｘが出力されるまで繰り返し）、閾値Ｆ０以上の検出値Ｆｘを検出した場合（ＹＥＳの場合）は、ステップＳ７に進む。
【００４０】
ステップＳ６でＹＥＳの場合、ステップＳ７において、検出モード設定手段５２は、アンプ５１を第１の検出モードＭ１に切替えて設定し、ステップＳ８に進む。
【００４１】
ステップＳ８において、コントローラ５０は、タイマ５５の経過時間Ｔｘを「０」にリセットし、ステップＳ９に進む。
【００４２】
ステップＳ９において、コントローラ５０は、タッチ操作の位置情報を出力し、ＣＰＵ３０で利用可能にする。ステップＳ９が完了すると、再びステップＳ２に戻り、ユーザの指がタッチパネル１０に新たに接触又は接近したかを検出して、同じ制御動作を繰り返し行う。なお、ステップＳ７からステップＳ９までは、順番が前後してもかまわないし、すべて同じタイミングであってもよい。また、ステップＳ３でＹＥＳの場合に、ステップＳ８にジャンプして、第１の検出モードＭ１を維持するのではなく、再設定してもよい。
【００４３】
このようにして、タッチパネル１０に対するタッチ操作の状況に応じて、タッチパネル１０の検出モードを、第１の検出モードＭ１と、第２の検出モードＭ２とに切替えることができる。
【００４４】
以上、説明したとおり、本実施形態の電子機器１は、タッチ操作を検出するタッチパネル１０と、タッチパネル１０へのタッチ操作を検出する第１の検出モードＭ１と、第１の検出モードＭ１よりも消費電力Ｗ２の低い第２の検出モードＭ２とを切替えて設定する検出モード設定手段５２と、を備え、第２の検出モードＭ２では、タッチパネル１０の検出感度Ｇ２が、第１の検出モードＭ１での検出感度Ｇ１よりも高いものである。これにより、消費電力Ｗ２の低い第２の検出モードＭ２であっても、タッチパネル１０の検出感度Ｇ２が高感度であるため、ユーザの指がタッチパネル１０に接触又は接近したことを検出することができ、タッチパネル１０に対するタッチ操作性を損なうことなく、低消費電力化を実現することができる。また、検出感度Ｇを高くすると、ユーザが手袋をした状態でのタッチ操作（グローブタッチ）を検出することもできる。
【００４５】
実施形態では、検出モード設定手段５２は、タッチ操作が所定時間Ｔ０検出されない場合、タッチパネル１０を第２の検出モードＭ２に設定する。これにより、タッチパネル１０を、タッチ操作の状況により、自動的に低消費電力である第２の検出モードＭ２に切替えて設定することができる。
【００４６】
実施形態では、検出モード設定手段５２は、第２の検出モードＭ２で、タッチ操作が検出された場合、タッチパネル１０を第１の検出モードＭ１に設定する。これにより、タッチパネル１０を、タッチ操作の応答が速い、アクティブな第１の検出モードＭ１に自動的に切替えて設定することができる。
【００４７】
実施形態では、検出モード設定手段５２は、第１の検出モードＭ１で、タッチ操作が検出された場合、第１の検出モードＭ１を維持又は設定する。これにより、タッチ操作が連続する場合に、タッチパネル１０を第２の検出モードＭ２に切替えて設定されることがなくなる。
【００４８】
実施形態では、検出モード設定手段５２は、第１の検出モードＭ１で、タッチ操作が所定時間Ｔ０検出されない場合、第２の検出モードＭ２に設定する。これにより、タッチパネル１０を第１の検出モードＭ１から、自動的に低消費電力である第２の検出モードＭ２に切替えて設定することができる。また、電子機器１がスマートウォッチであれば、タッチパネル１０は、１日のほとんどの時間、第２の検出モードＭ２に設定されていることになる。
【００４９】
実施形態では、第２の検出モードＭ２は、タッチパネル１０の検出間隔Ｄ２が、第１の検出モードＭ１での検出間隔Ｄ１よりも長い。これにより、パターン電極１１に対する電圧の総印加時間（回数）を短く（少なく）することができ、消費電力を低減させることができる。
【００５０】
以上、本発明の好ましい実施形態について詳述したが、本発明に係る電子機器、電子機器の制御方法及びプログラムは、上述した実施形態に限定されるものではなく、特許請求の範囲に記載された本発明の要旨の範囲内において、種々の変形、変化が可能である。
【００５１】
（変形例）
上記実施形態では、タッチパネル１０に対するタッチ操作状況に応じて、第１の検出モードＭ１と、第２の検出モードＭ２とを自動的に切替えたが、検出モード設定手段５２を押しボタンなどで構成することにより、あるいは、検出モード設定手段５２を表示手段２０に表示し、タッチ操作することにより、マニュアルで切替えるようにしてもよい。
【００５２】
上記実施形態では、検出感度Ｇの高低の設定を、アンプ５１のゲインを調節することで行ったが、静電容量の検出値Ｆｘの閾値Ｆ０を小さくして、検出感度Ｇを高めてもよい。このような閾値Ｆ０の調整は、単なるパラメータの設定であるので、消費電力に影響を与えることはない。また、検出感度Ｇの異なる複数のパターン電極１１を備えておき、これらを切替えてもよい。このようなパターン電極１１の切替えも消費電力に影響を与えることはない。
【００５３】
また、以下に、この出願の願書に最初に添付した特許請求の範囲に記載した発明を付記する。付記に記載した請求項の項番は、この出願の願書に最初に添付した特許請求の範囲のとおりである。
＜請求項１＞
タッチ操作を検出するタッチパネルと、
前記タッチパネルに対する前記タッチ操作を検出する第１の検出モードと、前記第１の検出モードよりも消費電力の低い第２の検出モードとを切替えて設定する検出モード設定手段と、を備え、
前記第２の検出モードは、前記タッチパネルの検出感度が、前記第１の検出モードでの検出感度よりも高い、
ことを特徴とする電子機器。
＜請求項２＞
前記検出モード設定手段は、
前記タッチ操作が所定時間検出されない場合、前記第２の検出モードに設定する、
ことを特徴とする請求項１に記載の電子機器。
＜請求項３＞
前記検出モード設定手段は、
前記第２の検出モードで、前記タッチ操作が検出された場合、前記第１の検出モードに設定する、
ことを特徴とする請求項２に記載の電子機器。
＜請求項４＞
前記検出モード設定手段は、
前記第１の検出モードで、前記タッチ操作が検出された場合、前記第１の検出モードを維持又は設定する、
ことを特徴とする請求項３に記載の電子機器。
＜請求項５＞
前記検出モード設定手段は、
前記第１の検出モードで、前記タッチ操作が前記所定時間検出されない場合、前記第２の検出モードに設定する、
ことを特徴とする請求項３又は４に記載の電子機器。
＜請求項６＞
前記第２の検出モードは、前記タッチパネルの検出間隔が、前記第１の検出モードでの検出間隔よりも長い、
ことを特徴とする請求項１から５までのいずれか１項に記載の電子機器。
＜請求項７＞
タッチパネルを備える電子機器の制御方法であって、
前記タッチパネルに対するタッチ操作を検出する検出ステップと、
第１の検出モードと、前記第１の検出モードよりも消費電力の低い第２の検出モードとを切替えて設定する検出モード設定ステップと、を含み、
前記第２の検出モードでは、前記タッチパネルの検出感度が、前記第１の検出モードでの検出感度よりも高い、
ことを特徴とする電子機器の制御方法。
＜請求項８＞
タッチパネルを備える電子機器の制御用のプログラムであって、
コンピュータに、
前記タッチパネルに対するタッチ操作を検出する機能と、
第１の検出モードと、前記第１の検出モードよりも消費電力の低い第２の検出モードとを切替えて設定する検出モード設定機能と、を実現させ、
前記第２の検出モードでは、前記タッチパネルの検出感度が、前記第１の検出モードでの検出感度よりも高い、
ことを特徴とするプログラム。
【符号の説明】
【００５４】
１      電子機器
１０    タッチパネル、１１  パターン電極
２０    表示手段
３０    ＣＰＵ（中央演算処理手段）
４０    記憶手段
５０    コントローラ（タッチパネル制御手段）
５１    アンプ（タッチ操作増幅手段）
５２    検出モード設定手段
５３    検出感度変更手段
５４    検出間隔変更手段
５５    タイマ（計時手段）
６０    電源
Ｍ１    第１の検出モード、Ｍ２    第２の検出モード
Ｆｎ    検出値、Ｔｎ  経過時間
Ｇｎ    検出感度、Ｄｎ  検出間隔
Ｗｎ    消費電力
【図１】
2019109721.tif 000003
【図２】
2019109721.tif 000004
【図３】
2019109721.tif 000005